【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技機に設けられる電気部品を制御するための処理を行うとともに、電力供給開始時に、電力供給停止直前の内容を保持することが可能な記憶手段に保持されている保持データにもとづいて制御を再開させることが可能な電気部品制御手段と、
遊技機で使用される電源電圧の電圧低下を監視し、第１検出条件が成立したときに検出信号を出力する第１の電源監視手段と、
前記第１の電源監視手段と同一の電源電圧の電圧低下を監視し、前記第１の電源監視手段が検出信号を出力することになる電圧よりも低く前記電気部品制御手段が動作する電圧であるときに成立する第２検出条件が成立したときに検出信号を出力する第２の電源監視手段とを備え、
前記電気部品制御手段は、マイクロコンピュータを含み、
前記マイクロコンピュータは、前記第１の電源監視手段からの検出信号により前記記憶手段の記憶内容が正常であるか否かを電力供給開始時に判定するためのチェックデータを生成して記憶手段に保存する処理を含む電力供給停止時処理を実行する電力供給停止時処理実行手段を有し、
前記電気部品制御手段は、
前記第２の電源監視手段からの検出信号の入力に応じて前記マイクロコンピュータをシステムリセットするリセット手段と、
電力供給開始時にチェックデータにもとづいて前記記憶手段の記憶内容が正常であるか否かの判定を行う判定手段と、
前記判定手段の判定結果が正常であるときには前記記憶手段に保持されている保持データにもとづいて制御を再開させ、前記判定手段の判定結果が正常でないときには初期化処理を実行する電力供給開始時処理手段とを有する
ことを特徴とする遊技機。
【請求項２】
遊技者が所定の遊技を行うことが可能な遊技機であって、
遊技機に設けられる電気部品を制御するための処理を行うとともに、電力供給開始時に、電力供給停止直前の内容を保持することが可能な記憶手段に保持されている保持データにもとづいて制御を再開させることが可能な電気部品制御手段と、
遊技機で使用される電源電圧の電圧低下を監視し、第１検出条件が成立したときに検出信号を出力する第１の電源監視手段と、
前記電源電圧と異なる電源電圧の電圧低下を監視し、前記第１の電源監視手段における第１検出条件が成立する後であって前記電気部品制御手段が動作する電圧であるときに成立する第２検出条件が成立したときに検出信号を出力する第２の電源監視手段とを備え、
前記電気部品制御手段は、マイクロコンピュータを含み、
前記マイクロコンピュータは、前記第１の電源監視手段からの検出信号により前記記憶手段の記憶内容が正常であるか否かを電力供給開始時に判定するためのチェックデータを生成して記憶手段に保存する処理を含む電力供給停止時処理を実行する電力供給停止時処理実行手段を有し、
前記電気部品制御手段は、
前記第２の電源監視手段からの検出信号の入力に応じて前記マイクロコンピュータをシステムリセットするリセット手段と、
電力供給開始時にチェックデータにもとづいて前記記憶手段の記憶内容が正常であるか否かの判定を行う判定手段と、
前記判定手段の判定結果が正常であるときには前記記憶手段に保持されている保持データにもとづいて制御を再開させ、前記判定手段の判定結果が正常でないときには初期化処理を実行する電力供給開始時処理手段とを有する
ことを特徴とする遊技機。
【請求項３】
第１の電源監視手段が監視する電源電圧は、電気部品制御手段が搭載されている基板上の素子駆動電源よりも高い電位の電源電圧である
請求項１または請求項２記載の遊技機。
【請求項４】
第１の電源監視手段が監視する電源電圧は、交流から直流に変換された直後の電源電圧である
請求項３記載の遊技機。
【請求項５】
第１の電源監視手段からの検出信号は、マイクロコンピュータの割込端子に入力され、
前記マイクロコンピュータは、割込端子への入力にもとづいて電力供給停止時処理を実行する
請求項１ないし請求項４記載の遊技機。
【請求項６】
電力供給停止直前の内容を保持することが可能な記憶手段は、電気部品制御手段に含まれている
請求項１ないし請求項５記載の遊技機。
【請求項７】
電力供給停止時処理には記憶手段へのアクセスを防止する処理が含まれる
請求項１ないし請求項６記載の遊技機。
【請求項８】
第１の電源監視手段からの検出信号は複数の電気部品制御手段に出力され、
第１検出条件は、前記複数の電気部品制御手段について同じである
請求項１ないし請求項７記載の遊技機。
【請求項９】
少なくとも第２の電源監視手段は電気部品制御手段が搭載されている基板にある
請求項１ないし請求項８記載の遊技機。
【請求項１０】
第１の電源監視手段は、電気部品制御手段が搭載されている基板の外部にあり、
電気部品制御手段は、入力バッファを介して前記第１の電源監視手段の検出信号を入力する
請求項１ないし請求項９記載の遊技機。
【請求項１１】
前記入力バッファは、電気部品制御手段が搭載されている基板の外部側から内部側への方向にのみ信号を伝達可能な不可逆性手段である
請求項１０記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者が所定の遊技を行うことが可能な遊技機であって、遊技機に設けられる電気部品を制御するための処理を行うとともに、電力供給開始時に、電力供給停止直前の内容を保持することが可能な記憶手段に保持されている保持データにもとづいて制御を再開させることが可能な電気部品制御手段と、遊技機で使用される電源電圧の電圧低下を監視し、第１検出条件が成立したときに検出信号を出力する第１の電源監視手段と、第１の電源監視手段と同一の電源電圧の電圧低下を監視し、第１の電源監視手段が検出信号を出力することになる電圧よりも低く電気部品制御手段が動作する電圧であるときに成立する第２検出条件が成立したときに検出信号を出力する第２の電源監視手段とを備え、電気部品制御手段は、マイクロコンピュータを含み、マイクロコンピュータは、第１の電源監視手段からの検出信号により記憶手段の記憶内容が正常であるか否かを電力供給開始時に判定するためのチェックデータを生成して記憶手段に保存する処理を含む電力供給停止時処理を実行する電力供給停止時処理実行手段を有し、電気部品制御手段は、第２の電源監視手段からの検出信号の入力に応じてマイクロコンピュータをシステムリセットするリセット手段と、電力供給開始時にチェックデータにもとづいて記憶手段の記憶内容が正常であるか否かの判定を行う判定手段と、判定手段の判定結果が正常であるときには記憶手段に保持されている保持データにもとづいて制御を再開させ、判定手段の判定結果が正常でないときには初期化処理を実行する電力供給開始時処理手段とを有することを特徴とする。なお、電気部品制御手段の例として、遊技進行を制御する遊技制御手段や、遊技媒体の払出制御を行う払出制御手段がある。


【手続補正３】
【補正対象書類名】明細書
【補正対象項目名】００１１
【補正方法】変更
【補正の内容】
【００１１】
また、本発明による遊技機は、遊技者が所定の遊技を行うことが可能な遊技機であって、遊技機に設けられる電気部品を制御するための処理を行うとともに、電力供給開始時に、電力供給停止直前の内容を保持することが可能な記憶手段に保持されている保持データにもとづいて制御を再開させることが可能な電気部品制御手段と、遊技機で使用される電源電圧の電圧低下を監視し、第１検出条件が成立したときに検出信号を出力する第１の電源監視手段と、電源電圧と異なる電源電圧の電圧低下を監視し、第１の電源監視手段における第１検出条件が成立する後であって電気部品制御手段が動作する電圧であるときに成立する第２検出条件が成立したときに検出信号を出力する第２の電源監視手段とを備え、電気部品制御手段は、マイクロコンピュータを含み、マイクロコンピュータは、第１の電源監視手段からの検出信号により記憶手段の記憶内容が正常であるか否かを電力供給開始時に判定するためのチェックデータを生成して記憶手段に保存する処理を含む電力供給停止時処理を実行する電力供給停止時処理実行手段を有し、電気部品制御手段は、第２の電源監視手段からの検出信号の入力に応じてマイクロコンピュータをシステムリセットするリセット手段と、電力供給開始時にチェックデータにもとづいて記憶手段の記憶内容が正常であるか否かの判定を行う判定手段と、判定手段の判定結果が正常であるときには記憶手段に保持されている保持データにもとづいて制御を再開させ、判定手段の判定結果が正常でないときには初期化処理を実行する電力供給開始時処理手段とを有することを特徴とする。
【手続補正４】
【補正対象書類名】明細書
【補正対象項目名】００１２
【補正方法】変更
【補正の内容】
【００１２】
第１の電源監視手段が監視する電源電圧は、電気部品制御手段が搭載されている基板上の素子駆動電源よりも高い電位の電源電圧であるように構成されていてもよい。


【手続補正５】
【補正対象書類名】明細書
【補正対象項目名】００１３
【補正方法】変更
【補正の内容】
【００１３】
第１の電源監視手段が監視する電源電圧は、交流から直流に変換された直後の電源電圧であるように構成されていてもよい。


【手続補正６】
【補正対象書類名】明細書
【補正対象項目名】００１４
【補正方法】変更
【補正の内容】
【００１４】
第１の電源監視手段からの検出信号はマイクロコンピュータの割込端子に入力され、マイクロコンピュータが割込端子への入力にもとづいて電力供給停止時処理を実行するように構成されていてもよい。


【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】０１９０
【補正方法】変更
【補正の内容】
【０１９０】
【発明の効果】
以上のように、本発明によれば、遊技機を、遊技機で使用される電源電圧の電圧低下を監視し、第１検出条件が成立したときに検出信号を出力する第１の電源監視手段と、第１の電源監視手段と同一の電源電圧の電圧低下を監視し、第１の電源監視手段が検出信号を出力することになる電圧よりも低く電気部品制御手段が動作する電圧であるときに成立する第２検出条件が成立したときに検出信号を出力する第２の電源監視手段とを備え、電気部品制御手段は、マイクロコンピュータを含み、マイクロコンピュータは、第１の電源監視手段からの検出信号により記憶手段の記憶内容が正常であるか否かを電力供給開始時に判定するためのチェックデータを生成して記憶手段に保存する処理を含む電力供給停止時処理を実行する電力供給停止時処理実行手段を有し、電気部品制御手段は、第２の電源監視手段からの検出信号の入力に応じてマイクロコンピュータをシステムリセットするリセット手段と、電力供給開始時にチェックデータにもとづいて記憶手段の記憶内容が正常であるか否かの判定を行う判定手段と、判定手段の判定結果が正常であるときには記憶手段に保持されている保持データにもとづいて制御を再開させ、判定手段の判定結果が正常でないときには初期化処理を実行する電力供給開始時処理手段とを有する構成としたので、遊技状態回復に必要なデータを確実に保存することができるという効果がある。また、同一の電源電圧を監視することから、第１の電圧監視手段が電圧低下信号を出力するタイミングと第２の電圧監視手段が電圧低下信号を出力するタイミングの差である所定期間を所望の値に確実に設定することができる。また、電源復旧時にチェックデータにもとづいてデータが破壊されていないかどうかチェックすることができ、保存されるデータの信頼性を向上させることができる。さらに、異常なデータにもとづいて遊技状態が復旧されてしまうことが防止される。
【手続補正１０】
【補正対象書類名】明細書
【補正対象項目名】０１９１
【補正方法】変更
【補正の内容】
【０１９１】
また、本発明によれば、遊技機を、遊技機で使用される電源電圧の電圧低下を監視し、第１検出条件が成立したときに検出信号を出力する第１の電源監視手段と、電源電圧と異なる電源電圧の電圧低下を監視し、第１の電源監視手段における第１検出条件が成立する後であって電気部品制御手段が動作する電圧であるときに成立する第２検出条件が成立したときに検出信号を出力する第２の電源監視手段とを備え、電気部品制御手段は、マイクロコンピュータを含み、マイクロコンピュータは、第１の電源監視手段からの検出信号により記憶手段の記憶内容が正常であるか否かを電力供給開始時に判定するためのチェックデータを生成して記憶手段に保存する処理を含む電力供給停止時処理を実行する電力供給停止時処理実行手段を有し、電気部品制御手段は、第２の電源監視手段からの検出信号の入力に応じてマイクロコンピュータをシステムリセットするリセット手段と、電力供給開始時にチェックデータにもとづいて記憶手段の記憶内容が正常であるか否かの判定を行う判定手段と、判定手段の判定結果が正常であるときには記憶手段に保持されている保持データにもとづいて制御を再開させ、判定手段の判定結果が正常でないときには初期化処理を実行する電力供給開始時処理手段とを有する構成としたので、遊技状態回復に必要なデータを確実に保存することができるという効果がある。また、電源復旧時にチェックデータにもとづいてデータが破壊されていないかどうかチェックすることができ、保存されるデータの信頼性を向上させることができる。さらに、異常なデータにもとづいて遊技状態が復旧されてしまうことが防止される。
【手続補正１１】
【補正対象書類名】明細書
【補正対象項目名】０１９２
【補正方法】変更
【補正の内容】
【０１９２】
第１の電源監視手段が監視する電源電圧は、電気部品制御手段が搭載されている基板上の素子駆動電源よりも高い電位の電源電圧であるように構成されている場合には、電気部品制御手段が必要とする電圧に対して監視範囲を広げることができ、より精密な監視を行うことができる。


【手続補正１２】
【補正対象書類名】明細書
【補正対象項目名】０１９３
【補正方法】変更
【補正の内容】
【０１９３】
第１の電源監視手段が監視する電源電圧は、交流から直流に変換された直後の電源電圧であるように構成されている場合には、電気部品制御手段が必要とする電圧に対して監視範囲をより広げることができ、さらに精密な監視を行うことができる。


【手続補正１３】
【補正対象書類名】明細書
【補正対象項目名】０１９７
【補正方法】削除
【補正の内容】
【手続補正１４】
【補正対象書類名】明細書
【補正対象項目名】０１９８
【補正方法】削除
【補正の内容】